(57)【要約】【課題】  容器本体内の内容物の密封性と保存性が高く、かつ、開封する際には手指などを傷つけることなく、安全に開封し注出できるスパウト付き容器を提供する。【解決手段】  容器本体１１と、該容器本体１１に取付けられたスパウト２０と、該スパウト２０を開閉する脱着自在なキャップとを備え、前記スパウト２０は容器本体１１へ融着された取付部２１と、取付部から外方へ突出するとともに外面に外ねじを有する筒状部２３とを有し、該スパウトの筒状部内に薄肉部４３を介して、注出方向へ１部分が厚肉４１Ａで、該厚肉が偏芯してなる破断自在な中栓４０を取り付け、該中栓４０が平らな筒状ノズル３１Ａを有する開封部材３０を前記スパウト２０の筒状部２３内に挿入することで、突き破って開封できることを特徴とする。【選択図】  図１
2007161254.tif 000002
【特許請求の範囲】
【請求項１】
容器本体と、該容器本体に取付けられたスパウトと、該スパウトを開閉する脱着自在なキャップとを備え、前記スパウトは容器本体へ融着された取付部と、取付部から外方へ突出するとともに外面に外ねじを有する筒状部とを有するスパウト付き容器において、前記スパウトの筒状部内に薄肉部を介して、注出方向へ１部分が厚肉で、該厚肉が偏芯してなる破断自在な中栓を取り付け、該中栓が平らな筒状ノズルを有する開封部材を前記スパウトの筒状部内に挿入することで、突き破って開封できることを特徴とするスパウト付き容器。
【請求項２】
上記開封部材と上記スパウトとに、係合するガイド段部、開口へ導く案内リブ、又はねじ係合していることを特徴とする請求項１記載のスパウト付き容器。
【請求項３】
上記開封部材が、平らな筒状ノズルから反対側へも延長され、開封部材をスパウトに挿入したままで、注出できることを特徴とする請求項１〜２のいずれかに記載のスパウト付き容器。
【請求項４】
上記容器がスタンディングパウチであることを特徴とする請求項１〜３のいずれかに記載のスパウト付き容器。
【発明の詳細な説明】
【技術分野】
【０００１】
本発明は、スパウト付き容器に関し、さらに詳しくは、中栓を開封する際に、手指などを傷つけることなく、安全に開封し注出させることのできるスパウト付き容器に関するものである。
【０００２】
本明細書において、配合を示す「比」、「部」、「％」などは特に断わらない限り質量基準であり、「／」印は一体的に積層されていることを示す。また、「ＰＥＴ」は「２軸延伸ポリエチレンテレフタレートフィルム」、「ＯＮ」は「２軸延伸ポリアミドフィルム」、「ＯＰＰ」は「２軸延伸ポリプロピレンフィルム」、「ＬＤＰＥ」は「低密度ポリエチレン」、「Ｌ−ＬＤＰＥ」は「直鎖状低密度ポリエチレン」、「ＨＤＰＥ」は「高密度ポリエチレン」、「ＥＶＡ」は「エチレン−酢酸ビニル共重合体」、「ＰＶＤＣ」は「ポリ塩化ビニリデン」、「ＥＶＯＨ」は「エチレン−酢酸ビニル共重合体ケン化物フィルム」、及び「ＣＰＰ」は「無延伸ポリプロピレンフィルム」の略語、機能的表現、通称、又は業界用語である。
【背景技術】
【０００３】
（主なる用途）本発明のスパウト付き容器の主なる用途としては、流体、粘調体、又は小さな固体を含む液状などの食品である。しかしながら、化粧品、衣料品、日用品などの容器本体内の内容物の密封性と保存性が高く、かつ、開封する際には手指などを傷つけることなく、安全に開封し注出を必要とする用途であれば、特に限定されるものではない。
【０００４】
（背景技術）流体を含む食品などを収納するスパウト付き容器として、内容物が充填された容器本体と、容器本体に取付けられたスパウト（注出口）と、注出口に装着されたキャップとを有するものが知られている。使用時には、キャップをスパウトから取り外し、容器本体を傾けたり、絞り出したりすることにより、容器本体内の内容物をスパウトから外方へ注出している。内容物が酒や油など浸透性の高い食品などは高い密封性と保存性が要求されるために、スパウト内部へ中栓を設けているが、該中栓は先端が鋭角に尖った形状の開封部材をスパウト内へ挿入して、突き破って開封している。このために、先端が鋭角に尖った形状で、手指などを受傷する危険性があった。
従って、スパウト付き容器は、容器本体内の内容物の密封性と保存性が高く、かつ、開封する際には手指などを傷つけることなく、安全に開封し注出できることが求められている。
【０００５】
（先行技術）従来、本出願人らは、容器本体と注出口とを備え、注出口は取付板と外方へ突出し、薄肉部を介してシール板が取付けられた筒状部とを有する注出口付容器を用いて、該シール板（本発明の中栓に相当する）を、先端が鋭角に尖った形状の開封部材で突き破って開封するものを開示している（例えば、特許文献１参照。）。しかしながら、開封する際には、先端が鋭角に尖った形状の開封部材を用いるために、鋭角に尖った形状部分に触れて手指などを受傷するという問題点がある。
【０００６】
【特許文献１】特開２００４−６７１８４号公報
【発明の開示】
【発明が解決しようとする課題】
【０００７】
そこで、本発明はこのような問題点を解消するためになされたものである。その目的は、容器本体内の内容物の密封性と保存性が高く、かつ、開封する際には手指などを傷つけることなく、安全に開封し注出できるスパウト付き容器を提供することである。
【課題を解決するための手段】
【０００８】
上記の課題を解決するために、請求項１の発明に係わるスパウト付き容器は、容器本体と、該容器本体に取付けられたスパウトと、該スパウトを開閉する脱着自在なキャップとを備え、前記スパウトは容器本体へ融着された取付部と、取付部から外方へ突出するとともに外面に外ねじを有する筒状部とを有するスパウト付き容器において、前記スパウトの筒状部内に薄肉部を介して、注出方向へ１部分が厚肉で、該厚肉が偏芯してなる破断自在な中栓を取り付け、該中栓が平らな筒状ノズルを有する開封部材を前記スパウトの筒状部内に挿入することで、突き破って開封できるように、したものである。
請求項２の発明に係わるスパウト付き容器は、上記開封部材と上記スパウトとに、係合するガイド段部、開口へ導く案内リブ、又はねじ係合しているように、したものである。
請求項３の発明に係わるスパウト付き容器は、上記開封部材が、平らな筒状ノズルから反対側へも延長され、開封部材をスパウトに挿入したままで、注出できるように、したものである。
請求項４の発明に係わるスパウト付き容器は、上記容器がスタンディングパウチであるように、したものである。
【発明の効果】
【０００９】
請求項１の本発明によれば、容器本体内の内容物の密封性と保存性が高く、かつ、開封する際には手指などを傷つけることなく、安全に開封し注出できるスパウト付き容器が提供される。
請求項２の本発明によれば、請求項１の効果に加えて、開封部材を老人などの弱い力でも、安全で容易に開封することができるスパウト付き容器が提供される。
請求項３の本発明によれば、請求項１〜２の効果に加えて、開封部材を取り除くことなく、そのままで、容易に注出することのできるスパウト付き容器が提供される。
請求項４の本発明によれば、請求項１の効果に加えて、スパウト部から漏れや外部から汚染がよりなく、絞り出すなどで全量を取り出し易いスパウト付き容器が提供される。
【発明を実施するための最良の形態】
【００１０】
以下、本発明の実施形態について、図面を参照しながら、詳細に説明する。
図１は、本発明の１実施例を示すスパウト付き容器の要部の断面図である。
図２は、従来の例を示すスパウト付き容器の要部の断面図である。
【００１１】
（スパウト付き容器）本発明のスパウト付き容器１０は、図１に示すように、容器本体１１と、該容器本体１１に取付けられたスパウト２０と、該スパウト２０を開閉する脱着自在なキャップとを備え、前記スパウト２０は容器本体１１へ融着された取付部２１と、取付部２１から外方へ突出するとともに外面に外ねじ２５を有する筒状部２３とを有している。スパウト２０の筒状部２３内に薄肉部４３を介して、注出方向へ１部分が厚肉で、該厚肉が偏芯してなる破断自在な中栓４０が取り付けられている。該中栓４０は、平らな筒状ノズル３１Ａを有する開封部材３０を前記スパウト２０の筒状部２３内に挿入することで、突き破って開封すことができる。
【００１２】
（容器本体）容器本体１１は特に限定されないが、柔軟性のある積層フィルムが好ましい。容器本体１１に用いる積層フィルムとしては、例えば、ＯＰＰ／ＬＤＰＥ、ＯＰＰ／Ｌ−ＬＤＰＥ、ＯＰＰ／ＣＰＰ、ＰＥＴ／ＬＤＰＥ、ＰＥＴ／Ｌ−ＬＤＰＥ、ＰＥＴ／ＣＰＰ、ＰＥＴ／ＯＮ／ＬＤＰＥ、ＰＥＴ／ＯＮ／Ｌ−ＬＤＰＥ、ＰＥＴ／ＯＮ／ＨＤＰＥ、ＰＥＴ／ＯＮ／ＥＶＡ、ＰＥＴ／ＯＮ／ＣＰＰ、ＰＥＴ／ＰＥＴ／ＬＤＰＥ、ＰＥＴ／ＰＥＴ／Ｌ−ＬＤＰＥ、ＰＥＴ／ＰＥＴ／ＨＤＰＥ、ＰＥＴ／ＰＥＴ／ＥＶＡ、ＰＥＴ／ＰＥＴ／ＣＰＰなどが挙げられるが、これらに限定されるものではなく様々な組み合わせの積層フィルムを使用することができる。
【００１３】
スパウト付き容器１０は、容器本体内の内容物の保存性により、容器本体１１に用いる積層フィルムにはガスバリア層が無くてもよい。しかしながら、スパウト付き容器１０の内容物に保存性が求められる場合や、長期間保管する場合には、外気の水分や酸素などが積層フィルムを透過して僅かではあるが侵入するために、容器本体１１に気体の侵入を防止するガスバリア層を有することが好ましい。この場合には、上記の積層フィルムへ、さらに、Ａｌ箔、Ａｌ蒸着ＰＥＴ、ＯＮ又はＯＰＰ、シリカ蒸着ＰＥＴ、ＯＮ又はＯＰＰ、ＰＶＤＣコートＯＮ、ＰＶＤＣコートＰＥＴ、ＥＶＯＨ、などのガスバリア性を有する層を積層すればよい。また、上記の積層フィルムのＰＥＴ、ＯＮ、ＯＰＰに代えて、Ａｌ蒸着ＰＥＴ、ＯＮ又はＯＰＰ、シリカ蒸着ＰＥＴ、ＯＮ又はＯＰＰ、ＰＶＤＣコートＯＮ、ＰＶＤＣコートＰＥＴを用いるようにしてもよい。
【００１４】
これらの積層フィルムは、通常、各々をフィルム状としてから接着剤で積層したり、塗布液として塗布し乾燥して塗布層としてもよい。具体的には、ドライラミネーション法、イクストルージョンコーティング法などの、当業者では公知の方法で積層することができる。該積層フィルムとしての厚さとしては、呼気を収納する際に容易に膨張できる点から、３０〜５００μｍが好ましく、より好ましくは５０〜３００μｍである。
【００１５】
容器本体１１の形状としては、２方シール袋、３方シール袋、４方シール袋、ピロー包装袋、ガゼット袋などで特に限定されるものではない。好ましくはスタンディングパウチ形状であり、スパウト付きスタンディングパウチとして、具体的には、スパウチ（大日本印刷（株）製）、ソフトパウチ（フジシール（株）製）、ハンディパウチ（凸版印刷（株）製）、チアーパック（藤森工業（株）製）などの市販品も適用できる。
【００１６】
（スパウト）容器本体１１へ取付けるスパウト２０の材料としては、特に限定はなく、公知のものでよく、例えばＬＤＰＥ、ＨＤＰＥ、ＰＰ、ＥＶＡなどの材料で、スパウト２０の外ねじ２５へ、キャップ（図示していない）が脱着自在に螺合できればばよい。スパウト２０とキャップとの間には、必要に応じて、パッキン、Ｏリングなどを介してもよく、また、スパウト２０の注出口部分へ、ガスバリア性のあるメンブレンシールをヒートシールなどで設けてもよい。スパウト２０の取付部２１へ、容器本体１１のシール部を公知の製袋機などでヒートシールすればよい。
【００１７】
スパウト２０は、図１（Ａ）に示すように、容器本体１１へ融着される取付部２１と、取付部２１から外方へ突出するとともに外面に外ねじ２５を有する筒状部２３とからなり、筒状部の内部に、破断自在な中栓４０が取り付けられている。スパウト２０は中栓４０も含めて、公知の射出成形法などで一体的に成形することができる。
【００１８】
（従来の中栓）従来の中栓４０は、図２（Ａ）に示すように、スパウト２０の筒状部２３内に薄肉部４３を介して取り付けられ、肉厚は同一で形成されているので、偏芯していない。該従来の中栓４０も、図２（Ｂ）に示すように、開封部材３０をスパウト２０の筒状部２３内に挿入することで、突き破って開封するが、偏芯のない同一肉厚の中栓４０では、ノズルが平ら面では突き破る力が全体へ分散して、容易に突き破ることはできない。そこで、開封部材３０は鋭角で尖った筒状ノズル３１Ｂを有させて、突き破ることができたが、先端が鋭角に尖った形状であり、開封の際に手指などを受傷することが多かった。
【００１９】
（本発明の中栓）そこで、スパウト付き容器１０の中栓４０は、スパウト２０の筒状部２３内に薄肉部４３を介して取り付けられ、注出方向へ１部分が厚肉で、該厚肉を偏芯して設けることで、図１（Ｂ）に示すように、平らな筒状ノズル３１Ａを有する開封部材３０を用いても、スパウト２０の筒状部２３内に挿入することで、容易に突き破ることができるのである。中栓４０は、薄肉部４３を介して、注出方向へ１部分が厚肉で、該厚肉を偏芯しているので、ノズルが平ら面でも、１番厚い部分へ力が集中して、この部分の薄肉部が破断し、該破断部分から周囲の部分へ破断が進み、容易に突き破ることができる。破断された中栓４０は薄肉部４３でスパウト２０の筒状部２３内に接続されているので、内容物内へ混入することもない。
【００２０】
開封部材３０は先端が尖っていない形状で、平らな筒状ノズル３１Ａを有しているので、開封の際に触れても、手指などを受傷することがない。安全で老人や子供でも容易に開封することができる。
【００２１】
（ガイド部）また、スパウト２０と開封部材３０とに、図１に示すように、ねじ係合しているか、図示していないが係合するガイド段部を設けるか、又は、図示していないが開口へ導く案内リブなどを設けるか、することで、さらに、容易に安全に開封することができる。
【００２２】
（注出口付き）図１に示すように、開封部材３０が、平らな筒状ノズルから反対側へも延長することで、開封部材をスパウトに挿入し、開封した後には、そのままで、注出させることができる。
【００２３】
（密封性）スパウト２０の筒状部２３内に、薄肉部４３を介して中栓４０が取付けられているので、中栓４０が破断するまでの間、容器本体１１内の内容物に対して高い密封性を保つことができる。
【図面の簡単な説明】
【００２４】
【図１】本発明の１実施例を示すスパウト付き容器の要部の断面図である。
【図２】従来の例を示すスパウト付き容器の要部の断面図である。
【符号の説明】
【００２５】
１１：容器本体
２０：スパウト
２１：取付部
２３：筒状部
２５：外ねじ
３０：開封部材
３１Ａ：平らな筒状ノズル
３１Ｂ：鋭角で尖ったノズル
４０：中栓
４１Ａ：偏芯厚肉部
４１Ｂ：厚肉部
４３：薄肉部
４５：破断部
【図１】
2007161254.tif 000003
【図２】
2007161254.tif 000004